(57)【特許請求の範囲】
【請求項１】
電力供給路からの電力を移動体電話機の二次電池の充電に適した充電電力に変換して前記移動体電話機に出力するアダプタ本体を備え、前記アダプタ本体は、前記移動体電話機に電気的に接続されるコネクタを器体に有し、前記器体は、前記電力供給路に接続される接続部が設けられ造営物の定位置に取り付けられる固定部と、前記移動体電話機を支持する支持台と、前記支持台が前記固定部の一面を覆う閉位置と当該一面を露出させる開位置との間で回動し前記固定部と前記支持台とが折り畳み可能となるように、前記固定部と前記支持台とを一体に連結する連結部とを有し、前記支持台は、前記開位置において上面となる載置面に前記コネクタが設けられ、前記コネクタは、前記載置面に載置される前記移動体電話機に接続され、前記コネクタは、前記支持台に固定されている第１のコネクタと、当該第１のコネクタに着脱可能に装着され、前記移動体電話機に直接接続される第２のコネクタとからなり、前記第１のコネクタに装着される前記第２のコネクタは、複数種類の前記第２のコネクタの中から前記移動体電話機に合わせて選択され、前記支持台は、一面開口の薄箱状のケースと、当該ケースの開口面を覆う位置と開放する位置との間で開閉自在となる蓋体とを有し、前記第１のコネクタから外された前記第２のコネクタを収納する収納空間が前記ケースと前記蓋体との間に形成されていることを特徴とする移動体電話機用充電器。
【発明の詳細な説明】
【技術分野】
【０００１】
本発明は、携帯電話機等の移動体電話機に内蔵されている二次電池の充電に用いられる移動体電話機用充電器に関する。
【背景技術】
【０００２】
一般的に、二次電池を本体に内蔵した携帯電話機等の移動体電話機は、外部接続端子を有しており、この外部接続端子に充電器を接続して充電器からの電力供給を受けることにより、本体から二次電池を取り外すことなく二次電池を充電することができる。
【０００３】
この種の移動体電話機の充電器としては、コンセントに接続されるアダプタ部と、移動体電話機に接続されるコネクタ（接続コネクタ）とを有し、アダプタ部とコネクタとの間がケーブルで接続された形態の充電器が広く知られている（たとえば特許文献１参照）。
【０００４】
特許文献１記載の充電器（充電器アダプタ）のアダプタ部は、コンセントの差込口に挿入される差込プラグと、コンセントから供給される交流電力を二次電池の充電に適した直流電力に変換する電力変換部（ＡＣ／ＤＣ変換手段）とを具備している。この充電器は、電力変換部の出力をケーブルおよびコネクタを介して移動体電話機に供給し、移動体電話機の二次電池を充電する。
【先行技術文献】
【特許文献】
【０００５】
【特許文献１】特開２００３−２８３６１０号公報
【発明の概要】
【発明が解決しようとする課題】
【０００６】
しかし、上述したようにコンセントに接続されるアダプタ部と、移動体電話機に接続されるコネクタとがケーブルを介して接続された充電器では、たとえばコンセントが壁の高い場所にある場合、移動体電話機がケーブルの先に吊り下げられた状態となる。この状態では移動体電話機の自重によってケーブルに過度の負荷がかかるため、このような状態で充電器が使用されることはケーブルの断線等、充電器の故障の原因となる。
【０００７】
また、上記充電器では、たとえば壁に設置されたコンセントに接続された場合に、壁にケーブルが垂れ下がるので、コンセント周りが煩雑になり、使用時の見映えがよくないという問題もある。
【０００８】
本発明は上記事由に鑑みて為されており、ケーブルに過度の負荷がかかることがなく、且つ、使用時の見映えがよい移動体電話機用充電器を提供することを目的とする。
【課題を解決するための手段】
【０００９】
本発明の移動体電話機用充電器は、電力供給路からの電力を移動体電話機の二次電池の充電に適した充電電力に変換して移動体電話機に出力するアダプタ本体を備え、アダプタ本体は、移動体電話機に電気的に接続されるコネクタを器体に有し、器体は、電力供給路に接続される接続部が設けられ造営物の定位置に取り付けられる固定部と、移動体電話機を支持する支持台と、支持台が固定部の一面を覆う閉位置と当該一面を露出させる開位置との間で回動し固定部と支持台とが折り畳み可能となるように、固定部と支持台とを一体に連結する連結部とを有し、支持台は、開位置において上面となる載置面にコネクタが設けられ、コネクタは、載置面に載置される移動体電話機に接続され、コネクタは、支持台に固定されている第１のコネクタと、当該第１のコネクタに着脱可能に装着され、移動体電話機に直接接続される第２のコネクタとからなり、第１のコネクタに装着される第２のコネクタは、複数種類の第２のコネクタの中から移動体電話機に合わせて選択され、支持台は、一面開口の薄箱状のケースと、当該ケースの開口面を覆う位置と開放する位置との間で開閉自在となる蓋体とを有し、第１のコネクタから外された第２のコネクタを収納する収納空間がケースと蓋体との間に形成されていることを特徴とする。
【００１０】
この移動体電話機用充電器において、接続部は、電力供給路に接続されているコンセントの差込口に挿入される差込プラグからなることが望ましい。
【００１１】
この移動体電話機用充電器において、接続部は、電力供給路としての電灯線が接続される端子部からなり、固定部は、造営物の定位置に固定されることがより望ましい。
【００１２】
この移動体電話機用充電器において、載置面には、移動体電話機の一部が挿入される凹所が形成されており、コネクタは凹所の底面に設けられていることがより望ましい。
【発明の効果】
【００１５】
本発明は、移動体電話機を支持する支持台の載置面にコネクタが設けられているので、移動体電話機を支持台の載置面に載置した状態でコネクタに接続することができ、ケーブルに過度の負荷がかかることがなく、且つ、使用時の見映えがよいという利点がある。
【図面の簡単な説明】
【００１６】
【図１】実施形態１の移動体電話機用充電器を示し、（ａ）は器体を開いた状態、（ｂ）移動体電話機が載置された状態を示す概略斜視図である。
【図２】同上の移動体電話機用充電器を示し、（ａ）はコンセントから外れた状態、（ｂ）コンセントに接続された状態を示す概略斜視図である。
【図３】同上の構成を示す概略ブロック図である。
【図４】実施形態２の移動体電話機用充電器を示す概略斜視図である。
【発明を実施するための形態】
【００１７】
以下の実施形態では、二次電池を本体に内蔵した携帯電話機等の移動体電話機の充電に用いられる移動体電話機用充電器（以下、「充電器」と略称する）について説明する。この移動体電話機は外部接続端子を有しており、この外部接続端子に充電器を接続して充電器からの電力供給を受けることにより、本体から二次電池を取り外すことなく二次電池を充電することができる。
【００１８】
（実施形態１）
本実施形態の充電器１は、図２に示すように、コンセント２に接続されるアダプタ本体１０を備えている。
【００１９】
アダプタ本体１０は、図２（ａ）に示すようにコンセント２の差込口２１に挿入される差込プラグ３と、コンセント２から供給される交流電力を直流電力に変換するＡＣ／ＤＣ変換回路からなる電力変換部４（図３参照）とを、合成樹脂製の器体５に具備している。
【００２０】
コンセント２は、本実施形態では住宅等の造営物の壁６に設置されている埋込型の壁コンセントであり、商用電源等の交流電源につながる電力供給路（図示せず）と電気的に接続されている。ここで、差込プラグ３がコンセント２の差込口２１の奥に設けられている刃受部材（図示せず）に把持されることにより、コンセント２とアダプタ本体１０との機械的な結合および電気的な接続が為される。
【００２１】
したがって、アダプタ本体１０は、差込プラグ３がコンセント２の差込口２１に挿入されることにより、図２（ｂ）に示すように壁６に取り付けられるとともに、電力供給路に電気的に接続される。以下では、充電器１が壁６に取り付けられた状態の上下左右を上下左右とし（つまり、壁６を正面から見た左右を左右とする）、壁面に直交する方向を前後方向として説明するが、充電器１の取付方向を限定する趣旨ではない。
【００２２】
なお、本実施形態では、コンセントとして、差込口２１が左右方向に並ぶ一対の電圧極と、差込口２１が両電圧極の間であって両電圧極の上方に位置する接地極とを有したコンセント２を例示するが、この形態に限らず、たとえば一対の電圧極のみ有していてもよい。差込プラグ３は、コンセント２の差込口２１と対応するように設けられていればよい。また、コンセント２とアダプタ本体１０との結合強度を高めるために、差込プラグ３のコンセント２からの抜け止めの機構が設けられていてもよい。
【００２３】
電力変換部４は、ここではスイッチング素子（図示せず）のスイッチング動作によって出力の大きさが調節されるスイッチング電源からなり、二次電池の充電に適した大きさの直流電圧を図３に示すようにコネクタ８に出力する。なお、電力変換部４の具体的な回路構成は特定の構成に限定されず、種々の回路を電力変換部４に適宜採用可能である。
【００２４】
コネクタ８は、移動体電話機９の外部接続端子９１と電気的に接続可能に構成されている。すなわち、充電器１は、コネクタ８が外部接続端子９１に接続された状態で、電力変換部４が出力する充電電力をコネクタ８を介して移動体電話機９に供給し、移動体電話機９の二次電池９２を充電する。
【００２５】
移動体電話機９には、図３に示すように外部接続端子９１に接続された充電回路９３が備わっており、充電器１から充電電力の供給を受けた充電回路９３は、二次電池９２に充電電流を流して二次電池９２を充電する。充電回路９３は、二次電池９２の残容量を監視し、二次電池９２の充電が完了すれば充電電流を停止する。
【００２６】
ここにおいて、アダプタ本体１０の器体５は、図１に示すように、固定部５１と支持台５２とが連結部５３によって一体に連結されて構成されている。差込プラグ３は固定部５１における背面（壁６との対向面）から後方に突出するように固定部５１に設けられており、電力変換部４は固定部５１内に内蔵されている。したがって、固定部５１は差込プラグ３がコンセント２に接続された状態では、造営物の壁６の定位置に取り付けられることになる。また、コネクタ８は支持台５２に設けられている。
【００２７】
連結部５３は、固定部５１に対して支持台５２を回動可能に連結するヒンジ機構を構成し、図２に示すように、固定部５１および支持台５２の長手方向の一端部（図２（ｂ）の状態では下端部）同士を連結する。これにより、支持台５２は、連結部５３を支点に回動することによって、図２（ｂ）のように固定部５１の前面を覆う位置（以下、「閉位置」という）と、図１（ａ）のように固定部５１の前面を露出させる位置（以下、「開位置」という）との間で回動可能となる。つまり、器体５は、固定部５１と支持台５２とが折り畳み可能に構成されている。
【００２８】
本実施形態では、器体５は、図２（ｂ）のように折り畳まれた状態、つまり支持台５２が閉位置にある状態において、固定部５１と支持台５２とのいずれも正面視が上下方向に長い長方形状となるように形成されている。しかも、固定部５１と支持台５２とは、折り畳まれた状態における上下方向の寸法並びに左右方向の寸法が、同一に設定されている。つまり、図２（ｂ）のように器体５が折り畳まれた状態では、前後方向に固定部５１と支持台５２とは重なっており、正面から見て固定部５１の前面はその全域が支持台５２によって覆われる。
【００２９】
固定部５１と支持台５２とは、厚み寸法（折り畳まれた状態における前後方向の寸法）についても略同等に設定されており、且つ、両者の厚み寸法の和が左右方向の寸法よりもさらに小さくなるように設定されている。要するに、器体５は、折り畳まれた状態における前後方向の寸法が左右方向の寸法よりも小さくなり、コンセント２に取り付けられたときの壁６からの突出量が極力小さく抑えられる。
【００３０】
連結部５３は、左右方向に沿った回動軸（図示せず）を有しており、この回動軸が固定部５１と支持台５２とに挿通されることにより、支持台５２を固定部５１に対して回動軸回りで回動可能とする。さらに、連結部５３は、開位置にある支持台５２と固定部５１との間の開き角度が９０度となるように、支持台５２の回動範囲を制限する機能を有している。つまり、器体５が開いた状態では、固定部５１の前面と、支持台５２の上面との間の角度は９０度になる。
【００３１】
連結部５３は、器体５が開いた状態と閉じた（折り畳まれた）状態とのそれぞれの状態において、その状態を保持するように構成されている。具体的には、連結部５３は、支持台５２が開位置にあるときと閉位置にあるときとのそれぞれにおいて、支持台５２を回動方向とは逆向きに付勢する機構を有している。この機構により、支持台５２は開位置および閉位置において、その回動を阻止する向きに付勢されることなる。
【００３２】
なお、器体５が開いた状態と閉じた状態とのそれぞれの状態を保持することができればよいので、上記構成に限らず、たとえば固定部５１や支持台５２に、支持台５２を閉位置、開位置に保持する機能が設けられていてもよい。たとえば、支持台５２が爪部（図示せず）を有し、この爪部を閉位置において固定部５１に引っ掛けることにより、閉位置から勝手に開くことを防止する構成であってもよい。
【００３３】
また、固定部５１内の電力変換部４と、支持台５２に設けられているコネクタ８とが電気的に接続されるように、連結部５３の内部には、電力変換部４の出力とコネクタ８とを接続するフレキシブルケーブル（図示せず）が通っている。ただし、この構成に限らず、連結部５３の構成要素に導通部材が用いられ、当該導通部材を通して電力変換部４とコネクタ８とが導通するように構成されていてもよい。
【００３４】
ところで、本実施形態の充電器１では、支持台５２は図１に示すように開位置において移動体電話機９を支持するための台として機能する。
【００３５】
すなわち、支持台５２は、開状態において上面となる面を、移動体電話機９が載置される載置面５４としている。載置面５４の前後方向の略中央部には、下方に凹む凹所５５が形成されており、凹所５５はその開口面が左右方向に長く形成されている。
【００３６】
凹所５５の底面の略中央部にはコネクタ８が露出している。コネクタ８は、電力変換部４と電気的に接続される少なくとも２極のコンタクト（図示せず）を有しており、図１（ａ）に示すように凹所５５の底面から上向きに突出する。このコネクタ８が移動体電話機９の外部接続端子９１に挿入されることにより、コンタクトが外部接続端子９１と電気的に接続され、充電器１と移動体電話機９とが電気的に接続される。ここで、コネクタ８は、底面から鉛直方向に突出するのではなく、上端側ほど固定部５１に近づくように斜め上向きに突出する。
【００３７】
コネクタ８は、第１のコネクタ８１（図３参照）と、第１のコネクタ８１に着脱可能に装着される第２のコネクタ８２とからなる。第１のコネクタ８１は、支持台５２に固定されており、電力変換部４の出力に直接接続されている。ここで、第２のコネクタ８２は、ロック機構によって第１のコネクタ８１から抜け止めされ、ロック機構の解除ボタン（図示せず）が操作されることによって第１のコネクタ８１から取外可能とされている。第２のコネクタ８２は、第１のコネクタ８１に装着された状態で、第１のコネクタ８１と電気的に接続されるとともに機械的に結合され、第１のコネクタ８１を介して電力変換部４の出力に電気的に接続される。
【００３８】
ここにおいて、移動体電話機９の外部接続端子９１としては、移動体電話機９の機種などに応じてそれぞれ形状の異なる複数種類の外部接続端子９１がある。本実施形態では、これら複数種類の外部接続端子９１に対応できるように、第２のコネクタ８２は複数種類用意され、その中からいずれか１つが選択されて第１のコネクタ８１に装着される。つまり、第２のコネクタ８２は、各種類の外部接続端子９１にそれぞれ適合するように構成されており、移動体電話機９の外部接続端子９１に直接接続される。
【００３９】
第１のコネクタ８１に装着される第２のコネクタ８２は、充電器１が用いられる移動体電話機９の外部接続端子９１に合わせて選択される。外部接続端子９１の種類が異なる複数台の移動体電話機９に充電器１が共用される場合には、第１のコネクタ８１に装着された第２のコネクタ８２は移動体電話機９に合わせて適宜取り替えられる。ただし、第１のコネクタ８１が適合する移動体電話機９に充電器１が使用される場合、第２のコネクタ８２を用いることなく、第１のコネクタ８１が移動体電話機９の外部接続端子９１に直接接続されてもよい。
【００４０】
固定部５１の前面であって、凹所５５と対応する位置には、コネクタ８を逃すための逃し凹部５６が形成されている。これにより、第２のコネクタ８２が第１のコネクタ８１に装着された状態で器体５が折り畳まれても、コネクタ８は逃し凹部５６に収まることとなり、コネクタ８と固定部５１とが干渉することはない。
【００４１】
次に、上記構成の充電器１の使用方法について、図１を参照して説明する。
【００４２】
使用者は、図１（ａ）に示すように、コンセント２に接続された状態の充電器１の器体５を開くことによって、支持台５２を開位置まで移動させる。これにより、支持台５２の載置面５４にはコネクタ８が露出する。この状態で、使用者は図１（ｂ）に示すように、移動体電話機９の下端部が載置面５４の凹所５５に収まるように、移動体電話機９を載置面５４に載置する。
【００４３】
このとき、使用者はコネクタ８（第２のコネクタ８２）が外部接続端子９１に挿入されるように、外部接続端子９１（図１（ｂ）の例では移動体電話機９の底面に設けられている）とコネクタ８との位置を合わせながら、移動体電話機９を載置する。ここで、コネクタ８は上端側ほど固定部５１に近づくように斜め上向きに突出しているので、コネクタ８が接続された状態で移動体電話機９は、固定部５１にもたれ掛かるように載置面５４上に載置されることになる。
【００４４】
移動体電話機９がコネクタ８に接続されると、充電器１は、電力変換部４が出力する充電電力を移動体電話機９に供給し始め、二次電池９２の充電を開始する。
【００４５】
使用者は、普段は充電器１の器体５を折り畳んでおいて、移動体電話機９の充電に使用するときのみ充電器１の器体５を開くことが望ましく、これにより、充電器１の非使用時には壁６からの充電器１の突出量を比較的小さく抑えることができる。また、充電器１はコンセント２に常時接続されていてもよいし、非使用時にはコンセント２から取り外されてもよい。差込プラグ３は固定部５１に格納可能に構成されていてもよい。
【００４６】
以上説明した充電器１によれば、コンセント２に接続されるアダプタ本体１０自体にコネクタ８を有し、移動体電話機９を支持する支持台５２にコネクタ８が設けられているので、移動体電話機９を支持台５２上に載置した状態でコネクタ８に接続することができる。したがって、コンセント２が壁６の高い場所にある場合でも、移動体電話機９が吊り下げられるようなことはなく、電力変換部４とコネクタ８とを接続するフレキシブルケーブルに負荷が掛かることはない。さらに、上記充電器１では、アダプタ本体１０からケーブルは出ていないので、充電器１の使用時においてもコンセント周りが煩雑になることもなく、使用時の見映えがよい。
【００４７】
また、充電器１は、器体５が固定部５１と支持台５２とで折り畳み可能に構成されているので、非使用時に、壁６からの器体５の突出量を小さく抑え、器体５が邪魔になることを回避できるという利点がある。しかも、充電器１は、コンセント２に接続されたままであっても、器体５が折り畳まれることにより、コネクタ８を固定部５１と支持台５２との間に収納することができる。したがって、コネクタ８への塵埃等の堆積や、汚れの付着を防止することができる。
【００４８】
さらに、上記実施形態の充電器１は、載置面５４に移動体電話機９の下端部が収まる凹所５５が形成されているので、移動体電話機９を載置面５４の定位置からずれないように安定して載置することが可能となる。
【００４９】
さらにまた、上記実施形態の充電器１では、移動体電話機９に直接接続される第２のコネクタ８２が複数種類用意され、第１のコネクタ８１に対して着脱可能に装着されている。そのため、使用者は移動体電話機９の外部接続端子９１に合わせて第２のコネクタ８２を適宜取り替えることができ、１台の充電器１であっても外部接続端子９１の異なる複数種類の移動体電話機９に対応することができる。
【００５０】
また、本実施形態の変形例として、充電器１は、電力変換部４の入力に接続される蓄電池（図示せず）を有していてもよい。これにより、充電器１は、電力変換部４の入力に変動あるいは一時的な停電が生じても、電力変換部４から安定した出力を継続することができる。さらに、この充電器１においては、コンセント２から外された状態であっても移動体電話機９の二次電池９２を充電することができる。
【００５１】
（実施形態２）
本実施形態の充電器１は、支持台５２が図４に示すように載置面５４を含む矩形板状の蓋体５７と、一面開口の薄箱状のケース５８とからなる点が実施形態１の充電器１とは相違する。
【００５２】
蓋体５７は、ケース５８の開口面を覆う位置と開放する位置との間で開閉自在となるように、連結部５３によってケース５８と連結されている。コネクタ８を構成する第１のコネクタ８１（図３参照）は蓋体５７に設けられている。
【００５３】
ケース５８の内部空間は、第２のコネクタ８２を収納するための収納空間５９を形成する。つまり、蓋体５７の第１のコネクタ８１には、複数種類の第２のコネクタ８２のうち１種類のみが装着されるので、使用者は、残りの第２のコネクタ８２を収納空間５９に収納しておくことができる。収納空間５９内には各第２のコネクタ８２を保持するための保持部（図示せず）が設けられていることが望ましく、これにより、支持台５２の開閉時に収納空間５９内で第２のコネクタ８２が移動してしまうことを防止できる。
【００５４】
以上説明した本実施形態の充電器１によれば、使用していない第２のコネクタ８２を器体５の支持台５２内に形成された収納空間５９に収納しておくことができるので、第２のコネクタ８２の紛失を防止することができる。
【００５５】
その他の構成および機能は実施形態１と同様である。
【００５６】
ところで、上記各実施形態では、アダプタ本体１０に差込プラグ３が設けられており、コンセント２に対して着脱可能な充電器１を例示したが、この例に限らず、充電器１は定位置に固定されていてもよい。すなわち、充電器１は、壁裏に配線された電灯線（電力供給路）と直接接続される端子部（図示せず）が、差込プラグ３に代えて固定部５１の背面に接続部として設けられ、固定部５１自体が壁６にねじ等により固定される直付け型の充電器であってもよい。直付け型の充電器１では、固定部５１は壁６内に埋め込まれていてもよい。これにより、充電器１は、器体５が折り畳まれた状態での壁６からの器体５の突出量をより小さく抑えることができる。
【符号の説明】
【００５７】
１  充電器
２  コンセント
３  差込プラグ（接続部）
５  器体
６  壁
８  コネクタ
９  移動体電話機
１０  アダプタ本体
２１  差込口
５１  固定部
５２  支持台
５３  連結部
５４  載置面
５５  凹所
５７  蓋体
５８  ケース
５９  収納空間
８１  第１のコネクタ
８２  第２のコネクタ
９２  二次電池
【図１】
0005572051.tif 000002
【図２】
0005572051.tif 000003
【図３】
0005572051.tif 000004
【図４】
0005572051.tif 000005